(57)【特許請求の範囲】
【請求項１】
複数の切れ目を断続的に配置した切断誘導部が設けられ、裏面に粘着剤が塗布されているシール本体を有し、
シール本体はキャップと容器本体の境界に跨って貼着され、シール本体の切断誘導部がキャップと容器本体の境界に沿うように設けられ、
容器本体に対し回動して開封されるキャップのバージンシールであって、
切断誘導部の切れ目がキャップを開封するキャップ回転進み方向に沿うシール本体の後方縁部から中途部までの範囲に設けられ、
切断誘導部の切れ目が設けられる上記範囲のシール本体の裏面のうち、少なくとも上記キャップ回転進み方向に沿う最前部の切れ目が設けられる範囲のシール本体の裏面を糊抑え部とし、
シール本体における切断誘導部の切れ目が設けられる上記範囲よりもキャップ回転進み方向に沿う前方縁部の側の裏面を粘着剤層として用いてなるバージンシール。
【請求項２】
前記切断誘導部を構成し、前記キャップ回転進み方向に沿う最前部の切れ目が、該キャップ回転進み方向に斜交してキャップの側から容器本体の側に延びる斜線であって、この斜線のキャップの側の一端が容器本体の側の他端よりも該キャップ回転進み方向の前方側に位置する斜線を有する形態からなる請求項１に記載のバージンシール。
【請求項３】
前記シール本体の裏面の糊抑え部が、該シール本体の表面の色と異なる色を付されてなる請求項１又は２に記載のバージンシール。
【発明の詳細な説明】
【技術分野】
【０００１】
本発明は包装容器におけるキャップのバージンシールに関する。
【背景技術】
【０００２】
従来、店頭で、包装容器のキャップの不正な開封を防止するバージンシール（未開封確認シール）として、特許文献１に記載のものがある。
【０００３】
特許文献１に記載の未開封確認シールは、容器本体に対して螺動して開封可能にされるネジ式キャップの未開封確認シールであって、複数の切れ目を断続的に配置した切断誘導部が設けられるシール本体を有し、シール本体はキャップと容器本体の境界に跨って貼着され、シール本体の切断誘導部がキャップと容器本体の境界に沿うように設けられる。ここで、切断誘導部はキャップを開封するキャップ回転進み方向に沿うシール本体の切断開始端部となる後方縁部から切断終了端部となる前方縁部の全域に設けられる。尚、切断誘導部を構成する切れ目は、キャップ回転進み方向に平行をなす直線状のミシン目からなる。
【０００４】
更に、特許文献１に記載の未開封確認シールは、シール本体の外周縁部の複数か所に、改竄防止用切れ目を設けている。
【０００５】
このような従来の未開封確認シールにあっては、使用者が容器を開封し、内容物を使用しようとする場合には、キャップを容器本体に対して螺動することにより、キャップを外すことになる。このとき、シール本体は切断誘導部の切れ目に沿って破断し、キャップ側に貼着された上側シール片と容器本体側に貼着された下側シール片とに分かれる。
【０００６】
他方、容器を不正に開封して内容物に改竄を加えようとする場合には、改竄者はシール本体をキズつけることなく剥がすことを試みる。このとき、改竄者がシール本体を剥がそうとして、シール本体の外周縁部から剥がすことを試みると、外周縁部に設けてある改竄防止用切れ目が破断する。シール本体の外周縁部の破断の痕跡が一目で不正な開封の履行を知らせるものになる。
【特許文献１】特開2006-243483
【発明の開示】
【発明が解決しようとする課題】
【０００７】
しかしながら、特許文献１に記載の未開封確認シールにあっては、キャップを容器本体に対して螺動して開封するとき、切断誘導部はキャップ回転進み方向に沿うシール本体の後方縁部から前方縁部の全域に設けられており、シール本体は切断誘導部の切れ目に沿ってキャップ回転進み方向に沿う一直線状にきれいに切断されて上下のシール片に分かれる。上下のシール片の切断面は直線状になる。
【０００８】
このため、改竄者がキャップを上述の如くに開封した後、キャップをもとの閉じ位置に戻すと、キャップ側の上側シール片と容器本体側の下側シール片とがそれらの直線状切断面をきれいに合致させる。このような上下のシール片はあたかも単一の切断されていないシール本体を呈する如くになり、キャップの開封履歴を一目で察知することを困難にする。
【０００９】
本発明の課題は、キャップの開封履歴を容易に確認可能にするバージンシールを提供することにある。
【課題を解決するための手段】
【００１０】
請求項１の発明は、複数の切れ目を断続的に配置した切断誘導部が設けられ、裏面に粘着剤が塗布されているシール本体を有し、シール本体はキャップと容器本体の境界に跨って貼着され、シール本体の切断誘導部がキャップと容器本体の境界に沿うように設けられ、容器本体に対し回動して開封されるキャップのバージンシールであって、切断誘導部の切れ目がキャップを開封するキャップ回転進み方向に沿うシール本体の後方縁部から中途部までの範囲に設けられ、切断誘導部の切れ目が設けられる上記範囲のシール本体の裏面のうち、少なくとも上記キャップ回転進み方向に沿う最前部の切れ目が設けられる範囲のシール本体の裏面を糊抑え部とし、シール本体における切断誘導部の切れ目が設けられる上記範囲よりもキャップ回転進み方向に沿う前方縁部の側の裏面を粘着剤層として用いてなるようにしたものである。
【発明を実施するための最良の形態】
【００１１】
バージンシール１０は、図１に示す如く、キャップ１Ａが容器本体１Ｂに対し回動、本実施例では螺動して開封される包装容器１に用いられ、キャップ１Ａの不正な開封を防止する。
【００１２】
バージンシール１０は、プラスチックフィルム、紙等からなるシール本体１１の裏面の概ね全面に粘着剤が塗布され、その裏面の後述する糊抑え部１２を除く概ね全面を粘着剤層として用いられる。シール本体１１を構成するプラスチックフィルムとしては、例えばＰＥ（ポリエチレン）、ＰＰ（ポリプロピレン）、ＰＥＴ（ポリエチレンテレフタレート）等を用いることができる。また、シール本体１１は、紙、パルプ類を使用することもできるが、粘着剤層を介して包装容器１に貼付して使用されるため、包装容器や粘着剤との兼ね合いでプラスチックフィルムであることが好ましい。シール本体１１の裏面に塗布される粘着剤としては、例えばアクリル系粘着剤等を用いることができる。
【００１３】
バージンシール１０は、シール本体１１に、複数の切れ目２１、２２、２３を一直線状に断続的に配置した切断誘導部２０を設ける。バージンシール１０は、キャップ１Ａと容器本体１Ｂの境界に跨ってシール本体１１を貼着されて用いられ、シール本体１１の切断誘導部２０がキャップ１Ａと容器本体１Ｂの境界に沿うように設けられる。使用者が容器１を開封し、内容物を使用しようとする場合には、キャップ１Ａを容器本体１Ｂに対して螺動することにより、キャップ１Ａを外すことになる。このとき、シール本体１１は切断誘導部２０の切れ目２１、２２、２３に沿って破断し、キャップ１Ａ側に貼着された上側シール片１１Ａと容器本体１Ｂ側に貼着された下側シール片１１Ｂとに分かれる。
【００１４】
バージンシール１０は、シール本体１１の外周縁部の複数か所に、改竄防止用切れ目３０を設けている。容器１の内容物に改竄を加えようとする改竄者がシール本体１１を剥がそうとして、シール本体１１の外周縁部から剥がすことを試みると、外周縁部に設けてある改竄防止用切れ目３０が破断する。シール本体１１の外周縁部の破断の痕跡が一目で不正な開封の履行を知らせるものになる。
【００１５】
しかるに、バージンシール１０は、改竄者がシール本体１１を上述の如くに剥がすことなく、キャップ１Ａを一旦開封した後にキャップ１Ａをもとの閉じ位置に戻したとしても、キャップ１Ａ側の上側シール片１１Ａと容器本体１Ｂ側の下側シール片１１Ｂとがこれらの切断面をきれいに合致させず、キャップ１Ａの開封履歴を一目で察知できるように、以下の構成を具備する。
【００１６】
(1)切断誘導部２０はキャップ１Ａを回転するキャップ回転進み方向Ｎに沿うシール本体１１の切断開始端部となる後方縁部Ｒから中途部に設けられる。
【００１７】
切断誘導部２０は、キャップ回転進み方向Ｎに沿う切断誘導始端部となる最後部の貫通状切れ目２１をシール本体１１の後方縁部Ｒに交差配置させている。切れ目２１は、好適には、使用者がキャップ１Ａに加えるキャップ回転力に対し、シール本体１１が大きな抵抗なく切断開始し得るように、キャップ回転進み方向Ｎに平行に沿う直線状（マイナス状）の形態とする。
【００１８】
切断誘導部２０は、キャップ回転進み方向Ｎに沿って、上述の最後部の切れ目２１に後続する１個以上の中間部の貫通状切れ目２２、更にはこの中間部の切れ目２２に後続して切断誘導終端部となる最前部の貫通状切れ目２３を備える。
【００１９】
切断誘導部２０の中間部の切れ目２２は、シール本体１１の最後部の切れ目２１からの切断を引き継ぎ、この切断をキャップ回転進み方向Ｎに概ね平行に沿って最前部の切れ目２３に誘導する形態、本実施例ではＸ字状の形態とする。切れ目２１の前端と切れ目２２のＸ字の交点とを、キャップ回転進み方向Ｎに平行に沿う方向で近接配置させる。
【００２０】
切断誘導部２０の最前部の切れ目２３は、シール本体１１の中間部の切れ目２２からの切断を引き継ぎ、この切断をキャップ回転進み方向Ｎに沿ってシール本体１１の中途部から前方縁部Ｆまで斜め下側向きに誘導して乱雑化する形態とする。切れ目２３のこの形態は、キャップ回転進み方向Ｎに斜交してキャップ１Ａの側から容器本体１Ｂの側に延びる斜線であって、この斜線のキャップ１Ａの側の一端（上端）が容器本体１Ｂの側の他端（下端）よりも該キャップ回転進み方向Ｎの前方側に位置する前方上り勾配の斜線２３Ａを有する形態、本実施例ではｙ字状の形態とする。切れ目２２のＸ字の前方向け下り勾配の斜線２２Ａの下端と切れ目２３の前方向け上り勾配の斜線２３Ａの下端とを、キャップ回転進み方向Ｎに平行に沿う方向で近接配置させる。ここで、中途部とは、切断誘導部２０がシール本体の後方縁部Ｒから始まり、前方縁部Ｆまで到達しないことを意味する。例えば、本発明の第１の実施形態（図１）では、中途部は、切断誘導部はシール本体の幅方向（キャップ回転進み方向Ｎに沿う長さ）のほぼ中央部に達する位置にある。
【００２１】
従って、キャップ１Ａを容器本体１Ｂに対して螺動して開封するとき、シール本体１１は図１（Ｂ）に示す如くに切断されて上側シール片１１Ａと下側シール片１１Ｂに分離される。このとき、切断誘導部２０が誘導するシール本体１１の切断ラインは、図１（Ｃ）に破線で示す如くになり、最後部の切れ目２１の前端から中間部の切れ目２２のＸ字の交点に及び、更に中間部の切れ目２２の前方向け下り勾配の斜線２２Ａの下端から最前部の切れ目２３の前方向け上り勾配の斜線２３Ａの下端に及び、更に最前部の切れ目２３の斜線２３Ａの上端から斜め前方下側向きに誘導されてシール本体１１の前方縁部Ｆの前述した改竄防止用切れ目３０Ａに及ぶものになる。
【００２２】
(2)切断誘導部２０の切れ目２１、２２、２３が設けられる範囲のシール本体１１の裏面のうち、少なくともキャップ回転進み方向Ｎに沿う最前部の切れ目２３が設けられる範囲のシール本体１１の裏面を糊抑え部１２とする。本実施例では、シール本体１１の切れ目２１、２２、２３が設けられる範囲の全てを糊抑え部１２とする。糊抑え部１２は、シール本体１１の裏面に塗布された粘着剤の上に、糊抑え剤を塗布することにより形成され、この部分の粘着力を喪失させる。
【００２３】
シール本体１１の裏面の糊抑え部１２は、シール本体１１の表面の色と異なる色を付されることが好ましい。糊抑え部１２に付される色は糊抑え剤を着色することにより得られる。
【００２４】
本実施例によれば以下の作用効果を奏する。
（請求項１）
(a)キャップ１Ａを容器本体１Ｂに対して回動して開封するとき、切断誘導部２０がキャップ回転進み方向Ｎに沿うシール本体１１の切断開始端部となる後方縁部Ｒから中途部に設けられている。そのため、切断誘導部２０が存在する部分では、シール本体１１は、キャップ回転進み方向Ｎに沿う後方縁部Ｒから中途部まで切断誘導部２０の切れ目２１、２２、２３に沿って切断される。更に、中途部から切断終了端部となる前方縁部Ｆまでは、キャップ回転進み方向Ｎに沿うように誘導されることなく乱雑に切断されて上下のシール片１１Ａ、１１Ｂに分かれる。上下のシール片１１Ａ、１１Ｂはそれらの切断面の周辺に乱雑なしわ等を生じ、それらの切断面が非直線状の乱雑な破面になる（図１（Ｂ））。このため、改竄者がキャップ１Ａを上述の如くに開封した後、キャップ１Ａをもとの閉じ位置に戻したとき、キャップ１Ａ側の上側シール片１１Ａと容器本体１Ｂ側の下側シール片１１Ｂとはそれらの切断面をきれいに合致せず、キャップ１Ａの開封履歴を一目で察知させる状況を呈する。
【００２５】
(b)切断誘導部２０の切れ目２１、２２、２３が設けられる範囲のシール本体１１の裏面のうち、少なくともキャップ回転進み方向Ｎに沿う最前部の切れ目２３が設けられる範囲のシール本体１１の裏面を糊抑え部１２とする。従って、シール本体１１においてキャップ回転進み方向Ｎに沿う中途部からの上述(a)の乱雑な切断の発生点となる最前部の切れ目２３が設けられている部分は、糊抑え部１２によってキャップ１Ａや容器本体１Ｂに貼着されていないから、上述(a)の上下のシール片１１Ａ、１１Ｂの乱雑なしわ等を浮き上がらせたり、めくり上がらせる。これにより、開封したキャップ１Ａを上述(a)の如くにもとの閉じ位置に戻したとき、キャップ１Ａの開封履歴をより一層一目で察知させる状況を呈する。
【００２６】
（請求項２）
(c)切断誘導部２０を構成し、キャップ回転進み方向Ｎに沿う最前部の切れ目２３が、キャップ回転進み方向Ｎに斜交してキャップ１Ａの側から容器本体１Ｂの側に延びる斜線２３Ａであって、この斜線２３Ａのキャップ１Ａの側の一端が容器本体１Ｂの側の他端よりも該キャップ回転進み方向Ｎの前方側に位置する斜線２３Ａを有する形態からなる。シール本体１１の上側シール片１１Ａになる部分に作用するキャップ１Ａの回転力は最前部の切れ目２３の各部のうち、該切れ目２３におけるキャップ回転進み方向Ｎの最も前方側に位置する部分、換言すれば斜線２３Ａのキャップ１Ａの側の一端（上端）に最先に及ぶ。また、キャップ１Ａを回転させる際に生じるせん断力により、キャップ１Ａと容器本体１Ｂの境界部分に複数の「しわ」が発生し、そのしわは切れ目２３と同様の方向に入る。更にキャップ１Ａを回転させると、「しわ」が大きく深くなり、前記斜線２３Ａの上端から切断し始める。しわが深くなるに従い、「しわ」と直交する方向、即ち右下方向（斜め前方下側向き、斜め前方容器本体側向き）に切断する。
【００２７】
従って、シール本体１１においてキャップ回転進み方向Ｎに沿う中途部からの前述(a)の乱雑な切断の発生点となる最前部の切れ目２３は、その斜線２３Ａのキャップ１Ａの側の一端から切断開始されるものになり、その乱雑な切断ラインが延びる方向はキャップ回転進み方向Ｎに対する斜め前方下側向き（斜め前方容器本体側向き）になる。即ち、シール本体１１の上下のシール片１１Ａ、１１Ｂの前述(a)の切断面は、キャップ回転進み方向Ｎに対して顕著に斜交する一層乱雑な破面になる。これにより、開封したキャップ１Ａを前述１Ａの如くにもとの閉じ位置に戻したとき、キャップ１Ａの開封履歴をより一層一目で察知させる状況を呈する。
【００２８】
（請求項３）
(d)シール本体１１の裏面の糊抑え部１２が、該シール本体１１の表面の色と異なる色を付される。従って、シール本体１１の上下のシール片１１Ａ、１１Ｂの前述(a)、(b)の切断面が乱雑なしわ等を浮き上がらせたり、めくり上がらされ、それらシール片１１Ａ、１１Ｂの切断面に沿う裏面が外側に臨むことになったとき、その裏面を表面との色の違いにより確実に視認できるものになる。これにより、開封したキャップ１Ａを前述１Ａの如くにもとの閉じ位置に戻したとき、キャップ１Ａの開封履歴をより一層一目で察知させる状況を呈する。
【００２９】
更に、切断誘導部２０の中間部の切れ目２２は、前述の如く、シール本体１１の最後部の切れ目２１からの切断を引き継ぎ、この切断をキャップ回転進み方向Ｎに概ね平行に沿って最前部の切れ目２３に誘導する形態であれば良く、例えば図２（Ａ）〜（Ｅ）のいずれかの形態を１個又は２個以上並置するものを採用できる。
【００３０】
また、切断誘導部２０の最前部の切れ目２３は、前述の如く、キャップ回転進み方向Ｎに斜交してキャップ１Ａの側から容器本体１Ｂの側に延びる斜線であって、この斜線のキャップ１Ａの側の一端（上端）が容器本体１Ｂの側の他端（下端）よりも該キャップ回転進み方向Ｎの前方側に位置する前方上り勾配の斜線２３Ａを有する形態であれば良く、例えば図３（Ａ）〜（Ｃ）のいずれかの形態を採用できる。
【００３１】
これにより、シール本体１１に設けられる切断誘導部２０は、以上の切れ目２１と切れ目２２と切れ目２３の組合せにより構成され、例えば図４（Ａ）〜（Ｅ）を採用できる（図４の例は中間部の切れ目２２として２個の切れ目２３を並置した）。
【図面の簡単な説明】
【００３２】
【図１】図１はバージンシールの一例の使用状態を示す模式図である。
【図２】図２は切断誘導部の中間部の切れ目の形態を示す模式図である。
【図３】図３は切断誘導部の最前部の切れ目の形態を示す模式図である。
【図４】図４はバージンシールの変形例を示す模式図である。
【符号の説明】
【００３３】
１  容器
１Ａ  キャップ
１Ｂ  容器本体
１０  バージンシール
１１  シール本体
１１Ａ  上側シール片
１１Ｂ  下側シール片
１２  糊抑え部
２０  切断誘導部
２１、２２  切れ目
２３  最前部の切れ目
２３Ａ  斜線
【図１】
0005078753.tif 000002
【図２】
0005078753.tif 000003
【図３】
0005078753.tif 000004
【図４】
0005078753.tif 000005